(57)【要約】      （修正有）【課題】組立てや分解が容易に出来、貯金箱としての役目を果たした後は筆立てや小物入れにも転用できる貯金箱を提供する。【解決手段】多角形底板と、多角形天井板と、帯状周壁板とを有し、該帯状周壁板の内面側には、上下縁近傍にそれぞれ設けられた断面コ字形状溝と、多角形底板及び多角形天井板の各辺の長さに対応する離間間隔で上下縁に直交する複数の断面Ｖ字形状溝とを有し、多角形底板と多角形天井板のそれぞれの外周縁を各断面コ字形状溝にそれぞれ嵌入のみにより接着しないで支持すると共に、帯状周壁板の左右両端部に形成された傾斜面のみを両面テープにより相互に接着したことを特徴とする。【選択図】図１
0003160075.tif 000002
【実用新案登録請求の範囲】
【請求項１】
多角形底板と、
前記多角形底板と同形で、投入口が形成された多角形天井板と、
前記多角形底板及び前記多角形天井板の外周縁に沿って多角形状に折り曲げて多角筒体を形成し得る帯状周壁板と、
を有し、
前記帯状周壁板の内面側には、
上縁近傍に設けられた前記多角形天井板の外周縁が嵌入される第１の断面コ字形状溝と、
下縁近傍に設けられた前記多角形底板の外周縁が嵌入される第２の断面コ字形状溝と、
前記多角形底板及び前記多角形天井板の各辺の長さに対応する離間間隔で前記上縁及び前記下縁に直交する複数の断面Ｖ字形状溝と、
を有し、
前記多角形底板と前記多角形天井板のそれぞれの外周縁を前記第１、第２の断面コ字形状溝にそれぞれ嵌入のみにより接着しないで支持すると共に、前記帯状周壁板の左右両端部のみを相互に接着したことを特徴とする貯金箱。
【請求項２】
前記帯状周壁板の左右両端部を両面テープにより相互に接着したことを特徴とする請求項１に記載の貯金箱。
【請求項３】
前記多角形天井板の前記投入口の外周部に前記多角形天井板の一部を切り取り可能な切り取り線を設けたことを特徴とする請求項１または請求項２に記載の貯金箱。
【考案の詳細な説明】
【技術分野】
【０００１】
本考案は、貯金箱に関するものである。
【背景技術】
【０００２】
従来、厚紙により作成される種々の容器が提案されている。例えば、特開平６−２９８２３８号公報（特許文献１）には、厚紙を打ち抜いた多角形状底板と同形の天井板と、これ等の底板、天井板に沿って多角形状に折曲げることが出来る帯状周壁板とで構成され、前記帯状周壁板の上下縁には底板、天井板の外周縁が嵌入し得る凹溝が穿設されており、組立に当って、底板と天井板との外周縁をこの上下の凹溝に嵌入すると共にその一部を相互に固着し、固着されない帯状周壁板の一部を蓋状に幅広く開閉し得るようにした包装用容器が提案されている。
【先行技術文献】
【特許文献】
【０００３】
【特許文献１】特開平６−２９８２３８号公報
【考案の概要】
【考案が解決しようとする課題】
【０００４】
しかしながら、前述の特許文献１の容器では、底板と天井板との外周縁を帯状周壁板の上下の凹溝に嵌入すると共にその一部を相互に固着する必要があるため、組立てが面倒であり、一般家庭において子供が手軽に組み立てられるものではなかった。
【０００５】
本考案は前記課題を解決するものであり、その目的とするところは、組立てや分解が容易に出来、貯金箱としての役目を果たした後は筆立てや小物入れにも転用できる貯金箱を提供せんとするものである。
【課題を解決するための手段】
【０００６】
前記目的を達成するための本考案に係る貯金箱の第１の構成は、多角形底板と、前記多角形底板と同形で、投入口が形成された多角形天井板と、前記多角形底板及び前記多角形天井板の外周縁に沿って多角形状に折り曲げて多角筒体を形成し得る帯状周壁板とを有し、前記帯状周壁板の内面側には、上縁近傍に設けられた前記多角形天井板の外周縁が嵌入される第１の断面コ字形状溝と、下縁近傍に設けられた前記多角形底板の外周縁が嵌入される第２の断面コ字形状溝と、前記多角形底板及び前記多角形天井板の各辺の長さに対応する離間間隔で前記上縁及び前記下縁に直交する複数の断面Ｖ字形状溝とを有し、前記多角形底板と前記多角形天井板のそれぞれの外周縁を前記第１、第２の断面コ字形状溝にそれぞれ嵌入のみにより接着しないで支持すると共に、前記帯状周壁板の左右両端部のみを相互に接着したことを特徴とする。
【０００７】
また、本考案に係る貯金箱の第２の構成は、前記第１の構成において、前記帯状周壁板の左右両端部を両面テープにより相互に接着したことを特徴とする。
【０００８】
また、本考案に係る貯金箱の第３の構成は、前記第１、第２の構成において、前記多角形天井板の前記投入口の外周部に前記多角形天井板の一部を切り取り可能な切り取り線を設けたことを特徴とする。
【考案の効果】
【０００９】
本考案に係る貯金箱の第１の構成によれば、多角形底板と多角形天井板のそれぞれの外周縁を帯状周壁板の上下縁近傍にそれぞれ設けた第１、第２の断面コ字形状溝にそれぞれ嵌入のみにより接着しないで支持すると共に、該帯状周壁板の左右両端部のみを相互に接着したことにより組立てや分解が容易に出来、貯金箱の組立てキットとして一般家庭において子供が手軽に組み立てることが出来る。また、組立て部品としての多角形底板、多角形天井板及び帯状周壁板は平板であるため郵送等により容易に配送することが出来る。
【００１０】
また、本考案に係る貯金箱の第２の構成によれば、帯状周壁板の左右両端部を両面テープにより相互に接着したことで、両面テープの着脱容易性から貯金箱の組立てや分解が容易に出来、貯金箱の組立てキットとして一般家庭において子供が手軽に組み立てることが出来る。
【００１１】
また、本考案に係る貯金箱の第３の構成によれば、多角形天井板の投入口の外周部に該多角形天井板の一部を切り取り可能な切り取り線を設けたことで、切り取り線に沿って多角形天井板の一部を切り取ってできた開口部から貯金箱内に貯金したお金を容易に取り出すことが出来、貯金箱としての役目を果たした後は該開口部を利用して筆立てや小物入れにも転用できる。
【図面の簡単な説明】
【００１２】
【図１】（ａ）は本考案に係る貯金箱の構成を示す斜視図、（ｂ）は多角形天井板の投入口の外周部に設けた切り取り線に沿って該多角形天井板の一部を切り取った様子を示す斜視説明図である。
【図２】（ａ）は多角形天井板の構成を示す正面図、（ｂ）は多角形底板の構成を示す正面図、（ｃ）は帯状周壁板の構成を示す外面展開図である。
【図３】（ａ）は帯状周壁板の内面側に設けられた第１、第２の断面コ字形状溝及び断面Ｖ字形状溝の構成を示す内面展開図、（ｂ）は（ａ）のＡ−Ａ断面図、（ｃ）は（ａ）のＢ−Ｂ断面図である。
【図４】本考案に係る貯金箱を組み立てる様子を示す分解斜視図である。
【考案を実施するための形態】
【００１３】
図により本考案に係る貯金箱１の一実施形態を具体的に説明する。図１〜図４において、２は多角形底板であり、３は多角形底板２と同形で、投入口３ｂが形成された多角形天井板である。多角形天井板３の投入口３ｂの外周部には該多角形天井板３の一部を切り取り可能な切り取り線３ｃが設けられている。
【００１４】
４は多角形底板２及び多角形天井板３の外周縁２ａ，３ａに沿って多角形状に折り曲げて多角筒体を形成し得る帯状周壁板である。本実施形態の多角形底板２、多角形天井板３及び帯状周壁板４は厚紙の両面に光沢を呈するコーティング紙を積層した三層構造で構成されている。
【００１５】
帯状周壁板４の内面側には、図３に示すように、上縁４ａ近傍に設けられた多角形天井板３の外周縁３ａが嵌入される第１の断面コ字形状溝４ｃと、下縁４ｂ近傍に設けられた多角形底板２の外周縁２ａが嵌入される第２の断面コ字形状溝４ｄと、多角形底板２及び多角形天井板３の各辺の長さに対応する離間間隔で上縁４ａ及び下縁４ｂに直交する複数の断面Ｖ字形状溝４ｅとが設けられている。帯状周壁板４の左右両端部は該帯状周壁板４の中間部に設けられる断面Ｖ字形状溝４ｅに対応する傾斜面4e1が形成されている。
【００１６】
そして、図４に示すように、多角形底板２と多角形天井板３のそれぞれの外周縁２ａ，３ａを第１、第２の断面コ字形状溝４ｃ，４ｄにそれぞれ嵌入のみにより接着しないで支持すると共に、帯状周壁板４の左右両端部の傾斜面4e1のみを両面テープ５により相互に接着する。図３（ｃ）中、６は両面テープ５の表面に貼着された剥離紙である。両面テープ５は予め帯状周壁板４の左右一方の端部の傾斜面4e1に貼着されており、貯金箱１の組立てに際して剥離紙６を剥がして帯状周壁板４の他端部の傾斜面4e1に貼着される。
【００１７】
上記貯金箱１の構成によれば、多角形底板２と多角形天井板３のそれぞれの外周縁２ａ，３ａを帯状周壁板４の上下縁４ａ，４ｂ近傍にそれぞれ設けた第１、第２の断面コ字形状溝４ｃ，４ｄにそれぞれ嵌入のみにより接着しないで支持すると共に、該帯状周壁板４の左右両端部に形成された傾斜面4e1のみを両面テープ５により相互に接着したことにより貯金箱１の組立てや分解が容易に出来、貯金箱１の組立てキットとして一般家庭において子供が手軽に組み立てることが出来る。また、組立て部品としての多角形底板２、多角形天井板３及び帯状周壁板４は平板であるため郵送等により容易に配送することが出来る。
【００１８】
また、帯状周壁板４の左右両端部に形成された傾斜面4e1を両面テープ５により相互に接着したことで、両面テープ５の着脱容易性から貯金箱１の組立てや分解が容易に出来、貯金箱１の組立てキットとして一般家庭において子供が手軽に組み立てることが出来る。
【００１９】
また、多角形天井板３の投入口３ｂの外周部に該多角形天井板３の一部を切り取り可能な切り取り線３ｃを設けたことで、図１（ｂ）に示すように、切り取り線３ｃに沿って多角形天井板３の一部３ｄを切り取ってできた開口部３ｅから貯金箱１内に貯金したお金を容易に取り出すことが出来、貯金箱１としての役目を果たした後は該開口部３ｅを利用して筆立てや小物入れにも転用できる。
【産業上の利用可能性】
【００２０】
本考案の活用例として、貯金箱の組立てキット、貯金箱としての役目を果たした後は筆立てや小物入れとして適用できる。
【符号の説明】
【００２１】
１    …貯金箱
２    …多角形底板
３    …多角形天井板
２ａ，３ａ …外周縁
３ｂ  …投入口
３ｃ  …切り取り線
３ｄ  …多角形天井板の一部
３ｅ  …開口部
４    …帯状周壁板
４ａ  …上縁
４ｂ  …下縁
４ｃ  …第１の断面コ字形状溝
４ｄ  …第２の断面コ字形状溝
４ｅ  …断面Ｖ字形状溝
4e1   …傾斜面
５    …両面テープ
６    …剥離紙
【図１】
0003160075.tif 000003
【図２】
0003160075.tif 000004
【図３】
0003160075.tif 000005
【図４】
0003160075.tif 000006